(57)【特許請求の範囲】
【請求項１】
携帯用歯間ブラシＡにおいて、
前記携帯用歯間ブラシＡは、洗浄液が収納されて携帯が簡単になり、上部には洗浄液が流出される組立突出部１１が形成され、下部には洗浄液が充填される注入孔１２が形成され、注入後には、注入孔１２を閉鎖させる注入孔の蓋１３が取り付けられた洗浄液チューブ１と、
前記洗浄液チューブ１の組立突出部１１が挿入されて組み立てられる組立孔２１が下部に形成されて前記洗浄液チューブ１の組立突出部１１に組み立てられ、上部にはブラシ固定部２２が固定されたブラシ本体２を含み、
前記洗浄液チューブ１の組立突出部１１の中央には、洗浄液が流出される流出孔１１ａが長さ方向に形成され、外表面の下端にはねじ部１１ｂが形成され、前記ねじ部１１ｂから延長される部分には支持延長部１１ｃが延長されるように形成され、
前記ブラシ本体２の下部に形成された組立孔２１は、下端にはめねじ部２１ａが形成され、中間には、支持延長溝２１ｂが形成され、上部には固定孔２１ｃが形成され、前記ブラシ本体２の上部の固定孔２１ｃにはブラシ固定部２２が固定され、
前記ブラシ本体２の上部にはブラシを保護するためのブラシ蓋４が被せられ、
前記ブラシ本体２の外側の一部に平面部２５が形成され、前記ブラシ本体２に挿入される前記ブラシ蓋４の一部も前記平面部２５に接する蓋平面部４１が形成され、
前記洗浄液チューブ１の組立突出部１１の下部には、突出係止段１５が形成され、前記ブラシ蓋４の下端には、前記突出係止段１５に接する突出延長部４２が形成されたことを特徴とする携帯用歯間ブラシ。
【請求項２】
前記洗浄液チューブ１の下端の開放端部１ａの注入孔１２の外側には、スナップ組み立てが可能に鋸歯状の突条１２ａが形成され、前記注入孔の蓋１３には、前記鋸歯状の突条１２ａと相互にかみ合う鋸歯状の凹溝１３ａが形成され、または、
鋸歯状の突条１２ａと鋸歯状の凹溝１３ａの代わりにめねじとおすねじが形成されてねじ組み立てされ、または、
注入孔の蓋１３の外表面に弾性突条１３ｃが形成されることを特徴とする請求項１に記載の携帯用歯間ブラシ。
【請求項３】
前記注入孔の蓋１３は、確実な密封組み立てのために、前記洗浄液チューブ１の下端の開放端部１ａの下端部の底面を含むように内側と外側を包んで閉鎖させる二重閉鎖構造を持つことを特徴とする請求項１又は請求項２に記載の携帯用歯間ブラシ。
【請求項４】
収納ボックス６内には、台座５が保管されるように収納され、前記台座５の中間には、前記洗浄液チューブ１の下端部が挿入されるように凹溝部５１が形成されて前記洗浄液チューブ１の下端部が挿入されて固定されることを特徴とする請求項１に記載の携帯用歯間ブラシ。
【請求項５】
前記洗浄液チューブ１の組立突出部１１の流出孔１１ａの上部には、切断凹溝１４ａが形成された把持棒１４が形成され、前記把持棒１４によって流出孔１１ａが密閉されるようになって洗浄液チューブ１内の洗浄液Ｃの長期的な保管が可能になり、使用時には、前記把持棒１４の切断凹溝１４ａを折り曲げて切断すると、切断凹溝１４ａが切り取られて閉鎖された流出孔１１ａが開放されて使用可能な状態になることを特徴とする請求項１に記載の携帯用歯間ブラシ。
【請求項６】
携帯用歯間ブラシＡにおいて、
前記携帯用歯間ブラシＡは、洗浄液が収納されて携帯が簡単になり、上部には洗浄液が流出される組立突出部１１が形成され、下部には洗浄液が充填される注入孔１２が形成された洗浄液チューブ１と、
前記洗浄液チューブ１の組立突出部１１が挿入されて組み立てられる組立孔２１が下部に形成されて前記洗浄液チューブ１の組立突出部１１に組み立てられ、上部にはブラシ固定部２２が固定されたブラシ本体２を含み、
前記洗浄液チューブ１の組立突出部１１の中央には、洗浄液が流出される流出孔１１ａが長さ方向に形成され、外表面の下端にはねじ部１１ｂが形成され、前記ねじ部１１ｂから延長される部分には支持延長部１１ｃが延長されるように形成され、
前記ブラシ本体２の下部に形成された組立孔２１は、下端にはめねじ部２１ａが形成され、中間には、支持延長溝２１ｂが形成され、上部には固定孔２１ｃが形成され、前記ブラシ本体２の上部の固定孔２１ｃにはブラシ固定部２２が固定され、
前記ブラシ本体２の上部にはブラシを保護するためのブラシ蓋４が被せられ、
前記ブラシ本体２の外側の一部に平面部２５が形成され、前記ブラシ本体２に挿入される前記ブラシ蓋４の一部も前記平面部２５に接する蓋平面部４１が形成され、
前記洗浄液チューブ１の組立突出部１１の下部には、突出係止段１５が形成され、前記ブラシ蓋４の下端には、前記突出係止段１５に接する突出延長部４２が形成され、
前記洗浄液チューブ１内に注入孔１２を介して洗浄液Ｃを充填させ、注入孔１２を合成樹脂で融着して固定させて接合部１３０が形成されることを特徴とする携帯用歯間ブラシ。
【発明の詳細な説明】
【技術分野】
【０００１】
本発明は、携帯用歯間ブラシに関するものであって、より具体的に説明すると、旅行や外出時、食事後に歯の間にはさまる異物やプラークの常時的な清掃及び消毒が可能なように携帯して持参することが可能で、このような歯間ブラシを使用する場合には、洗浄液チューブまたはブラシ本体を簡単に１回転を回して開放させて使用するので、便利で、洗浄液チューブを押すと、洗浄液が流出される状態で使用しても、ブラシが固定されたブラシ本体の揺れがなく、便利に使用が可能になり、使用後は、洗浄液チューブまたはブラシ本体を反対方向に回すと、洗浄液の流出が遮断されるようになって洗浄液の流出が容易に制御され、洗浄液の注入が容易であるように洗浄液チューブの下部に注入孔の蓋を固定して洗浄液の注入が容易であり、大量生産が可能になって製造コストが安価になり、使用するのに便利な携帯用歯間ブラシに関するものである。
【背景技術】
【０００２】
一般的に、歯間ブラシは、ホルダの先端に歯と歯の間を磨くための小さな毛状のブラシが取り付けられたもので、ブラシを歯間の隙間に入れて抜く動作で歯間をきれいにする口腔を清浄にする用品であって、このような歯間ブラシの使用により一般の歯ブラシが届かない部分の食べかすやプラークを容易に除去することができ、スケーリングなどの歯科治療後の消毒や喫煙後の歯石予防が可能になり、特に歯列矯正装置のような歯補助物の洗浄にも使用して清潔な状態を保つことができる効果がある。
【０００３】
しかし、現在の歯間ブラシの使用実態を見てみると、ブラシだけで洗浄が行われるため、歯茎が刺激され、出血が発生する場合が頻繁で、プラークをはじめとする食べかす除去能力が弱いという問題点があり、歯間ブラシを継続的に使用する場合には、これによる清潔状態の不良でブラシから不快な臭いがしたり、特に、細菌が増殖するという問題点があった。
【０００４】
前記のような問題点を解決するため、多くの歯間ブラシが提案されたことがあり、本出願人の特許文献１の「携帯用歯間ブラシ」が提案されたが、前記特許の洗浄液が収納されている洗浄液チューブの洗浄液が注入される洗浄液注入口が小さい直径を有する組立突出部上に形成されているので、多量の洗浄液を注入するためには、注射器などにより手作業で遂行するしかなく、自動的に遂行できないので、大量生産が不可能な重大な問題点があり、洗浄液の流出のために洗浄液チューブやブラシ本体を回転させて洗浄液が流出されるように使用される場合には、ブラシが固定されたブラシ本体の固定が不完全になってブラシが歯磨きをまともにできなくなる問題点があった。
【先行技術文献】
【特許文献】
【０００５】
【特許文献１】韓国登録特許第１０−１５００２８８号
【発明の概要】
【発明が解決しようとする課題】
【０００６】
本発明の目的は、このような問題点を解決するためのものであって、歯間ブラシを使用する場合には、洗浄液チューブを１回転を回して開放させて洗浄液チューブを押すと、洗浄液が流出される状態で使用してもブラシが固定されたブラシ本体の揺れがなく、便利に使用が可能になり、使用後は、洗浄液チューブを反対方向に１回転を回すと、洗浄液の流出が遮断されるようになって洗浄液の流出が容易に制御され、洗浄液の注入が容易であるように洗浄液チューブの下部に注入孔の蓋を固定して洗浄液の注入が容易であり、大量生産が可能になって製造コストが安価になり、使用するのに便利な携帯用歯間ブラシを提供することである。
【課題を解決するための手段】
【０００７】
本発明のこのような目的は、洗浄液が収納されて携帯が簡単になり、上部には洗浄液が流出される組立突出部が形成され、下部には洗浄液が充填される注入孔が形成され、注入後には注入孔を閉鎖させる注入孔の蓋が取り付けられた洗浄液チューブと、前記洗浄液チューブの組立突出部が挿入されて組み立てられる組立孔が下部に形成されて前記洗浄液チューブの組立突出部に組み立てられ、上部にはブラシ固定部が固定されたブラシ本体を含む本発明による携帯用歯間ブラシによって達成される。
【発明の効果】
【０００８】
本発明による携帯用歯間ブラシは、洗浄液が収納されて携帯が簡単になり、上部には洗浄液が流出される組立突出部が形成され、下部には洗浄液が充填される注入孔が形成され、注入後には注入孔を閉鎖させる注入孔の蓋が取り付けされた洗浄液チューブと、前記洗浄液チューブの組立突出部が挿入されて組み立てられる組立孔が下部に形成されて前記洗浄液チューブの組立突出部に組み立てられ、上部にはブラシ固定部が固定されたブラシ本体を含み、使用する場合には、洗浄液チューブを回して開放させて洗浄液チューブを押すと、洗浄液が流出される状態で使用してもブラシが固定されたブラシ本体の揺れがなく、便利に使用が可能になり、使用後には洗浄液チューブを反対方向に回すと、洗浄液の流出が遮断されるようになって洗浄液の流出が容易に制御され、洗浄液の注入が容易であるように洗浄液チューブの下端に注入孔の蓋を固定して洗浄液の注入が容易であり、大量生産が可能になって製造コストが安価になり、使用するのに便利な優れた効果がある。
【図面の簡単な説明】
【０００９】
【図１ａ】本発明の第１の実施例による携帯用歯間ブラシの斜視図及びブラシ本体が除去された洗浄液チューブの斜視図である。
【図１ｂ】本発明の第１の実施例による携帯用歯間ブラシの斜視図及びブラシ本体が除去された洗浄液チューブの斜視図である。
【図２】本発明の第１の実施例による携帯用歯間ブラシの分解斜視図である。
【図３ａ】本発明の第１の実施例による携帯用歯間ブラシの閉鎖時と開放時の概略的な縦断面図である。
【図３ｂ】本発明の第１の実施例による携帯用歯間ブラシの閉鎖時と開放時の概略的な縦断面図である。
【図４ａ】本発明の第１の実施例による携帯用歯間ブラシの注入孔の蓋の他の実施例である。
【図４ｂ】本発明の第１の実施例による携帯用歯間ブラシの注入孔の蓋の他の実施例である。
【図５】本発明の第１の実施例による携帯用歯間ブラシが複数個保管された状態が示された概略的な斜視図及び使用後の保管状態が示された斜視図である。
【図６】本発明の第２の実施例による携帯用歯間ブラシの概略的な斜視図である。
【図７】本発明の第２の実施例による携帯用歯間ブラシのロック状態から開放状態に回転された状態が示された部分が切断された斜視図である。
【発明を実施するための形態】
【００１０】
本発明の第１の実施例による携帯用歯間ブラシＡは、図１〜図３に示すように、洗浄液が収納されて携帯が簡単になり、上部には洗浄液が流出される組立突出部１１が形成され、下部には洗浄液が充填される注入孔１２が形成され、注入後には注入孔１２を閉鎖させる注入孔の蓋１３が圧入固定された洗浄液チューブ１と、前記洗浄液チューブ１の組立突出部１１が挿入されて組み立てられる組立孔２１が下部に形成されて前記洗浄液チューブ１の組立突出部１１に組み立てられ、上部にはブラシ固定部２２が固定されたブラシ本体２を含む。
【００１１】
前記洗浄液チューブ１の組立突出部１１の中央には、洗浄液が流出される流出孔１１ａが長さ方向に形成され、外表面の下端には、ねじ部１１ｂが形成され、前記ねじ部１１ｂから延長される部分は、支持延長部１１ｃが延長するように形成され、前記支持延長部１１ｃは、延長された長さによって洗浄液の逆流を防止しながら、ブラシ本体２が揺れがないように支持される機能を行う。
【００１２】
図１ｂに示すように、前記洗浄液チューブ１の組立突出部１１の流出孔１１ａの上部には、切断凹溝１４ａが形成された把持棒１４が形成され、前記把持棒１４によって流出孔１１ａが密閉されて洗浄液チューブ１内の洗浄液Ｃの長期的な保管が可能になり、使用時には、前記把持棒１４の切断凹溝１４ａを折り曲げて切断すると、切断凹溝１４ａが切り取られて閉鎖された流出孔１１ａが開放され、開放された流出孔１１ａ上に、図５に示された、収納ボックス６内に保管された新しいブラシ本体２を組み立てさせる方式に使用される。
【００１３】
前記洗浄液チューブ１の下端には、注入孔１２が形成されて洗浄液が充填されるようになり、洗浄液の充填後には、注入孔の蓋１３が強制的にスナップ組み立てされて洗浄液の流出が防止されるようになる。前記洗浄液本体１の下端１ａの注入孔１２の外側には、スナップ組み立てが可能に鋸歯状の突条１２ａが形成され、ここにスナップ組み立てされる前記注入孔の蓋１３は、図３に示すように、前記鋸歯状の突条１２ａと相互にかみ合う鋸歯状の凹溝１３ａが形成され、スナップ組み立てされると、離脱されず、洗浄液Ｃの使用時まで半永久的に固着される構造であり、また、前記注入孔の蓋１３は、確実に密封組み立てをするため、前記洗浄液チューブ１の下端の開放端部１ａの下端部の底面を含むように内側及び外側を包んで閉鎖させる二重閉鎖構造を持つため、確実な密封が可能になって洗浄液の蒸発がない長期的な保管が可能になる。
【００１４】
前記注入孔の蓋１３は、鋸歯状の構造で使用されることが記述されたが、これに限定されるものではなく、鋸歯状の突条１２ａと鋸歯状の凹溝１３ａの代わりにねじ構造や弾性突条１３ｃが形成された注入孔の蓋１３も使用可能であるといえる。
【００１５】
他の実施例として、図４ｂに示すように、洗浄液チューブ１内に注入孔１２を介して洗浄液Ｃを充填させ、注入孔１２を合成樹脂で融着させて固定させることにより接合部１３０を形成する方法も可能であるといえる。
【００１６】
前記ブラシ本体２の下部に形成された組立孔２１は、下端には、めねじ部２１ａが形成され、中間には、支持延長溝２１ｂが形成され、上部には、固定孔２１ｃが形成され、前記ブラシ本体２の上部の固定孔２１ｃには、ブラシ固定部２２が固定されている。前記ブラシ固定部２２は、前記ブラシ本体２の上部の固定孔２１ｃに挿入される支持挿入体２２ａと前記支持挿入体２２ａの上部に固定されるブラシ２２ｂを含む。前記支持挿入体２２ａの側面には、洗浄液Ｃが流出される流出溝２２１が縦方向に形成されて開放時に洗浄液Ｃがブラシ２２ｂに流出され、前記支持挿入体２２ａの底面には、前記流出孔１１ａを閉鎖させる挿入突出部２２２が下方に突出している。したがって、図３ａに示された前記支持挿入体２２ａの底面に突出した挿入突出部２２２が、前記流出孔１１ａに密着されて閉鎖させるロック状態で洗浄液Ｃが流出されるようにする場合には、図３ｂに示すように、ブラシ本体２を回転させて挿入突出部２２２が流出孔１１ａから離脱されると、洗浄液が離脱された隙間に流出され、流出溝２２１に沿ってブラシ２２ｂに供給され、ブラシ本体２を反対方向に回転させると、挿入突出部２２２が流出孔１１ａに密着されて洗浄液Ｃの流出が防止されるようになる。
【００１７】
図３ａ、図３ｂに示すように、使用時に洗浄液Ｃの流出のためにブラシ本体２が回転して開いた状態で使用されると、ブラシ本体２が前方に少し移動されて使用されるとしても洗浄液チューブ１の組立突出部１１の支持延長部１１ｃがブラシ本体２の支持延長溝２１ｂ内に挿入されているので、使用時に揺れが発生されるとしても支持延長部１１ｃの全体が支持延長溝２１ｂ内にタイトに挿入支持されて揺れを支持するようになり、結果的にブラシ本体２が揺れがなく支持されるのは言うまでもなく、支持延長部１１ｃが長く延長されているので、使用中に洗浄液の逆流が少しでも発生しても支持延長部１１ｃの延長によって洗浄液の逆流が防止されるようになる。
【００１８】
前記洗浄液チューブ１の外表面には、押す圧力がよく加わるように弾性蓋３がかぶせられ、前記ブラシ本体２の上部には、ブラシを保護するためのブラシ蓋４がかぶせられる。
【００１９】
前記弾性蓋３は、前記洗浄液チューブ１よりも軟質の材料で成形されるとともに円筒状に形成され、中間には、長さ方向の両側に楕円状の長尺溝３１が形成されて前記洗浄液チューブ１の加圧作動が容易になっている。
【００２０】
前記ブラシ蓋４は、ブラシ２２ｂを保護するようにブラシ２２ｂが内側に挿入され、端部は、洗浄液チューブ１の外表面に挿入されて固定される。
【００２１】
図５は、本発明の第１の実施例による携帯用歯間ブラシの販売時の１セットと使用後の直立保管状態が示されたものであって、収納ボックス６内に１つの使用可能な携帯用歯間ブラシＡと３つの使用予備状態の洗浄液チューブ１とブラシ本体２と１つの台座５が保管されるように収納されている状態で販売される予定であり、洗浄液チューブ１の下端部を台座５上に挿入させて直立保管する状態が示されたものである。前記台座５の中間には、前記洗浄液チューブ１の下端部が挿入されるように凹溝部５１が形成されて前記洗浄液チューブ１の下端部が挿入されて固定されるものである。
【００２２】
このような構成を有する本発明の第１の実施例による携帯用歯間ブラシＡの作用効果を、以下に詳細に説明する。
【００２３】
先ず、本発明の第１の実施例による携帯用歯間ブラシＡは、その下端部に広い形状の注入孔１２が形成されているので、洗浄液注入装置（図示せず）によって洗浄液Ｃの注入が容易に注入されて大量生産が可能な構造である。このように洗浄液の注入が完了した洗浄液チューブ１の下端部は、注入孔の蓋１３が強制的にスナップ組み立てされて洗浄液の流出が防止されたり、図４ｂに示すように、注入孔１２を合成樹脂で融着させて接合部１３０によって密封固定させて洗浄液充填後の密封作業が容易に終了されるようになる。
【００２４】
前記携帯用歯間ブラシＡを使用する場合には、ブラシ本体２を回転させて挿入突出部２２２が流出孔１１ａから離脱されると、洗浄液が離脱された隙間に流出されて流出溝２２１に沿ってブラシ２２ｂに供給される状態で使用するようになり、このときにブラシ本体２が前方に少し移動されて使用されるとしても、洗浄液チューブ１の組立突出部１１の支持延長部１１ｃがブラシ本体２の支持延長溝２１ｂ内に挿入されているので、使用時に揺れが発生されるとしても支持延長部１１ｃの全体が支持延長溝２１ｂ内にタイトに挿入支持されて揺れを支持するようになり、結果的にブラシ本体２が揺れがなく、支持されるようになって便利に歯間ブラシＡを使用してうがいができるようになる。
【００２５】
また、携帯用歯間ブラシＡの支持延長部１１ｃが長く延長されているので、使用中に歯間ブラシＡの揺れや使用方向の変更に応じて洗浄液チューブ１から流れ出た洗浄液Ｃの逆流が一時的に発生しても長く延長された支持延長部１１ｃによって洗浄液Ｃの逆流が一時的であり、洗浄液Ｃが再び順方向にブラシ２２ｂに流れるようになるので、衛生的に携帯用歯間ブラシＡを使用することができるようになる。そして、使用後は、携帯用歯間ブラシＡの洗浄液チューブ１の下端部を台座５上に挿入させて直立に保管できるので、携帯用歯間ブラシＡもきれいで整理整頓された状態で保管が可能になる。
【００２６】
図６は、本発明の第２の実施例による携帯用歯間ブラシＡが示されたもので、前記第１の実施例の携帯用歯間ブラシよりも使用が便利に製造されたものであって、他の部分はほとんど構造が類似していて、前記ブラシ本体２の外側の一部に平面部２５が形成され、前記ブラシ本体２に挿入されるブラシ蓋４の一部も前記平面部２５に接する蓋平面部４１が形成されていて、洗浄液チューブ１の組立突出部１１の下部には、突出係止段１５が形成され、前記ブラシ蓋４の下端には、前記突出係止段１５に接する突出延長部４２が形成されている。
【００２７】
前記ブラシ蓋４がブラシ本体２に挿入固定されていて、携帯用歯間ブラシＡを使用する場合には、図７に示すように、ブラシ蓋４を１回転させると、互いに接している蓋平面部４１がブラシ本体２の平面部２５が回転するように力を加えることになるので、  非常に容易にブラシ本体２が回転されつつ、ブラシ本体２が組み立て突出部１１に沿って回転されて高さＬだけ高くなり、挿入突出部２２２が流出孔１１ａから離脱されて洗浄液Ｃが流出されるようになり、ブラシ蓋４の突出延長部４２が突出係止段１５にかかることになると、停止されてブラシ蓋４を開いて携帯用歯間ブラシＡを使用できるようになり、使用後は、再度ブラシ蓋４を挿入させて反対方向に回転させると、互いに接している蓋平面部４１がブラシ本体２の平面部２５が回転するように力を加えることになってブラシ本体２が１回転されてブラシ蓋４の突出延長部４２が突出係止段１５にかかると、停止されて洗浄液Ｃが流出しないように便利にロックされるので、その使用方式がさらに便利な構造といえる。
【産業上の利用可能性】
【００２８】
本発明による携帯用歯間ブラシは、一般的な歯間ブラシの製造業において、同じ製品を繰り返し製造することが可能であるといえるので、産業上の利用可能性のある発明といえる。
【図１ａ】
0006308332.tif 000002
【図１ｂ】
0006308332.tif 000003
【図２】
0006308332.tif 000004
【図３ａ】
0006308332.tif 000005
【図３ｂ】
0006308332.tif 000006
【図４ａ】
0006308332.tif 000007
【図４ｂ】
0006308332.tif 000008
【図５】
0006308332.tif 000009
【図６】
0006308332.tif 000010
【図７】
0006308332.tif 000011